(57)【要約】【課題】蓋体の開閉動作の信頼性の向上を図り得る洗濯機を提供する。【解決手段】洗濯機本体１の上部を構成するトップカバー２と、トップカバー２に、下部に形成したヒンジ部１１により開閉自在に支持される蓋体３と、ヒンジ部１１に形成した空間部１６とを備え、空間部１６に、蓋体３を軸支する蓋蝶番軸１８と、蓋体３を開放する方向に付勢する蝶番バネ１７と、蓋蝶番軸１８と係合する蓋蝶番軸孔１３ａを設けた蓋蝶番軸受１３とを配設し、空間部１６を蓋蝶番カバー１２により閉塞することにより、信頼性向上と生産性向上を改善することが出来る。【選択図】図３
2016187369.tif 000002
【特許請求の範囲】
【請求項１】
洗濯機本体上部を構成するトップカバーと、前記トップカバーに、下部に形成したヒンジ部により開閉自在に支持される蓋体と、前記ヒンジ部に形成した空間部とを備え、前記空間部に、前記蓋体を軸支する蓋蝶番軸と、前記蓋体を開放する方向に付勢する蝶番バネと、前記蓋蝶番軸と係合する蓋蝶番軸孔を設けた蓋蝶番軸受とを配設し、前記空間部を蓋蝶番カバーにより閉塞することを特徴とする洗濯機。
【請求項２】
蓋蝶番軸受は、蝶番バネの一端を支持するバネ受け部を設けた請求項１に記載の洗濯機。
【請求項３】
蓋蝶番軸受は、蓋体の開放角度を規定するストッパー部を設けた請求項１または請求項２に記載の洗濯機。
【請求項４】
蓋蝶番カバーは、蓋体を閉塞した状態の蓋体と係合するツメ部を設けた請求項１から３のいずれか１項に記載の洗濯機。
【発明の詳細な説明】
【技術分野】
【０００１】
本発明は、洗濯機に係り、特に、洗濯機の蓋体の構造に関するものである。
【背景技術】
【０００２】
従来、洗濯機は、洗濯物出入口を開閉自在に閉塞する蓋体が設けられており、ヒンジ構造により回動自在に支持している。蓋体の操作性を向上させるために、蓋体の開放力を低減させるための蝶番バネを備えている。蝶番バネは、蓋体に形成したヒンジ部に一端を固定し、他端を洗濯機のトップカバーに取り付けることにより、蓋体に回動力を付勢している（例えば、特許文献１参照）。
【０００３】
図１２および図１３は、特許文献１に記載された従来の洗濯機の蓋体の分解斜視図である。図１４は、同洗濯機の蓋体開放時の縦断面図である。図１５は、同洗濯機の蓋体閉塞時の縦断面図である。
【０００４】
図１２から図１５に示すように、蓋体２の端部に形成されたヒンジ孔４ａにトップカバー１に形成したヒンジ軸５を挿入している。蓋体２のヒンジ部４に突出部を形成し、突出部に形成した取付け孔４ｂに蝶番バネ３の一端の係止部３ａを係止するとともに、蝶番バネ３の他端の係止部３ｂをトップカバー１に形成した係止孔７ｂに係止している。また、トップカバー１には、ヒンジ部４が差し込まれる差込孔６を形成し、蝶番バネ３を支持するための凹部７を差込孔６に連続して形成している。
【先行技術文献】
【特許文献】
【０００５】
【特許文献１】特開平６−３１５５９７号公報
【発明の概要】
【発明が解決しようとする課題】
【０００６】
しかしながら、このような従来の構成では、蓋体２のヒンジ部４には、蝶番バネ３を係止するための取付け孔４ｂを形成する突出部が必要なため、蓋体２の開閉軌跡上でヒンジ部４の突出部がトップカバー１と干渉しないようにトップカバー１には、大きく開口した差込孔６を設けている。
【０００７】
差込孔６は、異物が侵入する場合があり、異物の侵入により蓋体が開ききらない等の動作不具合が生じる虞があった。また、組立時には、蝶番バネ３を自由長の状態から取付状態まで撓ませながら、トップカバー１の係合孔７ａと、蓋体２の取付け孔４ｂに取り付けるため、不安定な作業となり、作業性が悪い。さらに、トップカバー１と蓋体２とが擦れて傷が付かないように配慮する必要があるため、組立作業性が良くない。また、蓋体２を開放した際に、ヒンジ部４が露出し、蓋体２裏面のリブやヒンジ軸５等が見えるためデザイン性が悪く、また、複雑な形状であるため、汚れが拭き取りにくく、掃除時の利便性が悪いという課題を有している。
【０００８】
本発明は、上記従来の課題を解決するもので、蓋体の開閉動作の信頼性の向上を図り得る洗濯機を提供することを目的としている。
【課題を解決するための手段】
【０００９】
本発明は、前記従来の課題を解決するもので、洗濯機本体上部を構成するトップカバーと、前記トップカバーに、下部に形成したヒンジ部により開閉自在に支持される蓋体と、
前記ヒンジ部に形成した空間部とを備え、前記空間部に、前記蓋体を軸支する蓋蝶番軸と、前記蓋体を開放する方向に付勢する蝶番バネと、前記蓋蝶番軸と係合する蓋蝶番軸孔を設けた蓋蝶番軸受とを配設し、前記空間部を蓋蝶番カバーにより閉塞するものである。
【００１０】
これにより、従来必要とした蓋体に蝶番バネ取付け孔を設けた突出部をなくすることができ、トップカバーの開口孔を廃止できる。
【発明の効果】
【００１１】
本発明の洗濯機は、蓋体の開閉動作の信頼性を向上することができる。
【図面の簡単な説明】
【００１２】
【図１】本発明の実施の形態１における洗濯機の蓋体閉塞状態の外観斜視図
【図２】同洗濯機の蓋体開放状態の外観斜視図
【図３】同洗濯機の蓋体の分解斜視図
【図４】同洗濯機の蓋体のヒンジ部を破断した平面図
【図５】同洗濯機の蓋体とトップカバーユニットの平面図
【図６】同洗濯機の蓋体とトップカバーユニットの斜視図
【図７】同洗濯機の蓋体のヒンジ部の斜視図
【図８】同洗濯機の蓋体のヒンジ部の斜視図
【図９】同洗濯機の蓋体の構造を示す横断面図
【図１０】（Ａ）同洗濯機の蓋体の構造を示す蓋体閉塞状態の図４におけるＡ−Ａ縦断面図、（Ｂ）同洗濯機の蓋体の構造を示す蓋体開放状態の図４におけるＡ−Ａ縦断面図
【図１１】（Ａ）同洗濯機の蓋体の構造を示す蓋体閉塞状態の図４におけるＢ−Ｂ縦断面図、（Ｂ）同洗濯機の蓋体の構造を示す蓋体開放状態の図４におけるＢ−Ｂ縦断面図
【図１２】従来の洗濯機の蓋体の分解斜視図
【図１３】同洗濯機の蓋体の分解斜視図
【図１４】同洗濯機の蓋体開放時の縦断面図
【図１５】同洗濯機の蓋体閉塞時の縦断面図
【発明を実施するための形態】
【００１３】
第１の発明は、洗濯機本体上部を構成するトップカバーと、前記トップカバーに、下部に形成したヒンジ部により開閉自在に支持される蓋体と、前記ヒンジ部に形成した空間部とを備え、前記空間部に、前記蓋体を軸支する蓋蝶番軸と、前記蓋体を開放する方向に付勢する蝶番バネと、前記蓋蝶番軸と係合する蓋蝶番軸孔を設けた蓋蝶番軸受とを配設し、前記空間部を蓋蝶番カバーにより閉塞するものである。
【００１４】
蓋体内部で蝶番バネが蝶番取付板で固定されるため、従来必要とした蓋体の蝶番バネの取付け孔を設けた突出部を廃止することができ、トップカバーの開口孔を廃止することができる。これにより、トップカバーへの異物侵入のよる蓋体が開ききらない等の不具合がなくなり、蓋体の開閉動作の信頼性が向上することができる。
【００１５】
第２の発明は、特に、第１の発明において、蓋蝶番軸受は、蝶番バネの一端を支持するバネ受け部を設けることにより、トップカバーへの蓋体の組み立て時に、蝶番バネを人手で直接触れずに、蝶番バネをトップカバーに取り付けた蓋蝶軸受のバネ受け面に押し付けながら、蓋体に組立が可能なため、安全性を確保し、前倒れによる蓋体とトップカバーへの傷付き、破損を防止することができ、生産性が向上する。また、トップカバーと蓋体ユニットを分解が容易に可能なため、修理時のメンテナンス性が向上することができる。
【００１６】
第３の発明は、特に、第１または第２の発明において、蓋蝶番軸受は、蓋体の開放角度を規定するストッパー部を設けることにより、ストッパー部を蓋体内部で構成が可能にな
り、従来必要としたストッパー部の回転動作による逃げのためのトップカバーの開口孔を廃止することが可能になり、トップカバーの異物侵入を防ぎ、トップカバーおよび蓋体への汚れ付着時の際の掃除における利便性を向上することができる。
【００１７】
第４の発明は、特に、第１から３のいずれかの１つの発明において、蓋蝶番カバーは、蓋体を閉塞した状態の蓋体と係合するツメ部を設けることにより、蓋体を開放した際のヒンジ部の構成リブやヒンジ軸を蓋蝶番カバーで覆って、段差をなくす構成にすることができ、蓋体を開放した際のヒンジ部のデザイン性を向上でき、汚れ付着時の際の掃除における利便性を向上することができる。
【００１８】
以下、本発明の実施の形態について、図面を参照しながら説明する。なお、従来例と同一構成部品は同一符号を付して説明を省略する。また、本実施の形態によって本発明が限定されるものではない。
【００１９】
（実施の形態１）
図１は、本発明の実施の形態における洗濯機の蓋体閉塞状態の外観斜視図である。図２は、同洗濯機の蓋体開放状態の外観斜視図である。図３は、同洗濯機の蓋体の分解斜視図である。図４は、同洗濯機の蓋体のヒンジ部を破断した平面図である。図５は、同洗濯機の蓋体とトップカバーユニットの平面図である。図６は、同洗濯機の蓋体ユニットとトップカバーユニットの斜視図である。図７は、同洗濯機の蓋体のヒンジ部の斜視図である。図８は、同洗濯機の蓋体の構造を示す横断面図である。図９は、同洗濯機の蓋体の構造を示す横断面図である。
【００２０】
図１０（Ａ）は、同洗濯機の蓋体の構造を示す蓋体閉塞状態の図４におけるＡ−Ａ縦断面図であり、図１０（Ｂ）は、同洗濯機の蓋体の構造を示す蓋体開放状態の図４におけるＡ−Ａ縦断面図である。図１１（Ａ）は、同洗濯機の蓋体の構造を示す蓋体閉塞状態の図４におけるＢ−Ｂ縦断面図であり、図１１（Ｂ）は、同洗濯機の蓋体の構造を示す蓋体開放状態の図４におけるＢ−Ｂ縦断面図である。
【００２１】
図１に示す蓋体閉塞状態の外観斜視図において、洗濯機本体１の上部には、トップカバー２を載置し、トップカバー２には、蓋体３を開閉自在に軸支している。トップカバー２の後方には洗濯機の運転制御を行う制御板４を配置している。
【００２２】
図２の蓋体開放状態の外観斜視図に示すように、蓋体３は、二分割に構成され、ヒンジ部１１を有する後蓋体６と、後蓋体６に分割支点部５により回動自在に支持される前蓋体７とから構成されている。蓋体３は、前蓋体７の上面に把手部１０を形成し、把手部１０を持ち上げることによりヒンジ部１１を支点として回転し、分割支点部５で折れ曲がりながら開放する。
【００２３】
前蓋体７は、前蓋下体７Ａと、前蓋下体７Ａに載置される前蓋上体７Ｂとから構成している。後蓋体６は、後蓋下体６Ａと、後蓋下体６Ａに載置される後蓋上体６Ｂとから構成している。後蓋体６の左右のヒンジ部１１には、内部構造を覆うために蓋蝶番カバー１２を配設し、外観デザイン性を向上させている。
【００２４】
図３の分解斜視図に示すように、トップカバー２の後方端部の左右側には、差込孔２ａを形成し、下方から蓋蝶番軸孔１３ａを備えた蓋蝶番軸受１３を挿入し、複数個の取り付けネジ１４にて、トップカバー２の裏面に一体形成したネジボス２ｂに締結固着し、トップカバーユニット１５を構成している。図３では、右側は蓋蝶番軸受１３を分解した状態を示し、左側は蓋蝶番軸受１３を取り付けた状態を示している。
【００２５】
また、後蓋下体６Ａと後蓋上体６Ｂとを組み合わせることにより、後蓋体６の左右にヒンジ部１１が構成される。ヒンジ部１１内に空間部１６が形成され、空間部１６には、蓋体３を開放する方向へ付勢する蝶番バネ１７と、後蓋体６を回転自在に支持する蓋蝶番軸１８と、蝶番取付板１９を配設している。蝶番取付板１９は、金属鋼板等により構成されており、コの字形状に折り曲げ形成し、蝶番取付板１９の両側面には、軸孔１９ａを設けている。蓋蝶番軸１８は、蝶番取付板１９の両方の軸孔１９ａを貫通して支持し、軸孔１９ａ間に蝶番バネ１７のコイルの中心を貫通して保持している。蝶番バネ１７は、トップカバーユニット１５への係止部１７ａと、蓋体３への係止部１７ｂとを備えている。
【００２６】
蝶番バネ１７と蓋蝶番軸１８と蝶番取付板１９とを組み立てた左右の蓋蝶番軸ユニット２１は、蝶番取付板１９の引掛け凸部１９ｂを後蓋下体６Ａの空間部１６にツメ嵌合にて係合し、引掛け凸部１９ｂと離間した位置でネジ２０にて、後蓋体６に一体形成したネジ孔６ａに締結固着により取り付ける。図３では、左側は蓋蝶番軸ユニット２１組み立てた状態、右側は分解した状態を示している。これにより、蝶番バネ１７の係止部１７ｂは、蝶番取付板１９と後蓋下体６Ａとの間で固定される。
【００２７】
トップカバー２の制御板４の左右側面には、蓋体３を回転自在に支持するヒンジ軸２ｃを設け、蓋体３のヒンジ部１１の左右側面に形成したヒンジガイド溝６ｂにヒンジ軸２ｃを挿入して蓋体３を保持する。
【００２８】
図４の外観図で示すように、後蓋体６の左右のヒンジ部１１には、蓋蝶番軸ユニット２１が配設され、蝶番バネ１７の係止部１７ｂが固定される。図４は、後蓋下体７Ｂは取り付けていない状態を示している。
【００２９】
図５の組立図で示すように、ユニット化された蓋体３をトップカバーユニット１５に組み込む際には、蓋体３を開いた状態でトップカバーユニット１５に近接させ、ヒンジ部１１の内側では、後蓋体６に形成したヒンジガイド溝６ｂにトップカバー２のヒンジ軸２ｃを嵌合させる。ヒンジ部１１の外側では、後蓋体６に形成したヒンジ溝部２３に蓋蝶番軸受１３を挿入する。この状態で、図５中、矢印にて示す下側方向５０に下げることによって、蝶番バネ１７の係止部１７ａが、蓋蝶番軸受１３から曲げ形状で形成されたバネ受け部１３ｂにガイドされて挿入係着する。
【００３０】
蓋蝶番軸１８は、トップカバーユニット１５に取り付ける前は、ヒンジ部１１の内側に寄せて取り付けている。トップカバーユニット１５に取り付け後に、後蓋体６の押し込み空間部２２に押し込み用の工具（マイナスドライバー等）を挿入し、蓋蝶番軸１８の端面を図５中、矢印５１に示す外側方向に押し込んで、蓋蝶番軸受１３の蓋蝶番軸孔１３ａに挿入させる。
【００３１】
蓋体３をトップカバーユニット１５に組み込んだ後、蓋蝶番カバー１２に形成した先端ツメ部１２ｂと後方ツメ部１２ｃを係止する。先に、先端ツメ部１２ｂを後蓋体６に形成した先端孔６ｅに嵌め込み、次に、後方ツメ部１２ｃを後蓋体６に形成した後方孔６ｆに嵌合して、保持固定する。その際に、蓋蝶番カバー１２に形成した蓋蝶番軸抜けリブ１２ａを、後蓋体６の押し込み空間部２２に挿入し、蓋蝶番軸１８の端面を押さえることで蓋蝶番軸１８が蓋蝶番軸孔１３ａからの抜けを防止している。
【００３２】
図６の組立斜視図で示すように、蓋体３は、トップカバーユニット１５のヒンジ部１１で矢印下側方向５０に押し込むことにより、蝶番バネ１７の係止部１７ｂの曲げ形状が蓋蝶番軸受１３のバネ受け部１３ｂにガイドされて組み立てられる。
【００３３】
図７は、蓋体３を開放した正面斜視図、図８は、蓋体３を閉塞した斜視図を示し、蓋体
３のヒンジ部１１には、蓋蝶番カバー１２を取り付けてヒンジ部１１の内部構造を覆い、後蓋下体６Ａと段差なく、外観面を合わせたデザインとしている。ヒンジ部１１の外側には、蓋体３の開閉操作の際に、蓋蝶番軸受１３を逃がす形状にヒンジ溝部２３を設けている。
【００３４】
次に、蓋体３をトップカバーユニット１５から分解する手順を説明する。
【００３５】
図８に示すように、蓋体３を閉じた状態で、後蓋体６のヒンジ部１１の後方に形成した切欠部６ｃに蓋蝶番カバー１２の分解用の工具（マイナスドライバー等）を挿入し、蓋蝶番カバー１２を広げることにより、後方ツメ部１２ｃの係合部を外す。続いて、先端ツメ部１２ｂの係合部が外すことにより、蓋蝶番カバー１２が分解できる。次に、図５に基づいて組み立て方法を説明した際の手順を逆に行う。分解用の工具（マイナスドライバー等）を挿入して、蓋蝶番軸１８を図５中に矢印５１にて示す方向とは反対方向の内側方向に移動させて蓋蝶番軸孔１３ａから抜く。この状態で、蓋体３は、図５中に矢印５０に示す方向と反対方向の上側方向に持ち上げることにより、トップカバーユニット１５から分解できる。
【００３６】
図９は、蓋蝶番軸１８中心での蓋体の構造の横断面図を示している。
【００３７】
蓋蝶番軸１８は、両端を蝶番取付板１９の軸孔１９ａに貫通し、軸孔１９ａの間に蝶番バネ１７のコイルの中心を貫通して後蓋体６に保持固定されている。蓋体３のヒンジ部１１の外側は、トップカバー２に取り付けた蓋蝶番軸孔１３ａに蓋蝶番軸１８が貫通して、蓋蝶番軸抜け止めリブ１２ａにより蓋蝶番軸１８の端面を押さえることにより抜けを防止している。ヒンジ部１１の内側は、ヒンジガイド溝６ｂとヒンジ軸２ｃとが係合して保持しており、蓋蝶番軸１８を中心として蓋体３が開閉可能となっている。
【００３８】
図１０は、図４のＡ−Ａ断面の蓋体の構造を示す縦断面図であり、図１０（ａ）は、蓋体３の閉塞状態を示し、図１０（ｂ）は、蓋体の開放状態を示している。図１０（ａ）及び図１０（ｂ）のそれぞれの左右の図把、連動した蓋蝶番軸受１３と蓋蝶番軸１８と蝶番バネ１７と蝶番取付板１９のみを抜粋した状態を示している。Ａ−Ａ断面では蝶番バネ１７の係止部１７ｂは可視出来ないが、説明の便宜上、背面にある形状として透過して図示している。
【００３９】
図１１は、図４のＢ−Ｂ断面の蓋体の構造を示す縦断面図であり、図１１（ａ）は蓋体の閉塞状態を示し、図１１（ｂ）は蓋体の開放状態を示している。蝶番バネ１７の係止部１７ａが可視できる断面を図示している。
【００４０】
以下に、蓋体３の開閉に連動した蝶番バネ１７と、開放状態における蓋体の開放角度を規定するストッパー部の動きについて説明する。
【００４１】
後蓋体６のヒンジ部１１には空間部１６を形成され、ヒンジ部１１を覆って蓋蝶番カバー１２が取り付けられ、空間部１６にて蝶番バネ１７の動作が行われている。
【００４２】
蝶番バネ１７の一端の係止部１７ａは、トップカバーユニット１５の設置された蓋蝶番軸受１３のバネ受け部１３ｂに係止しており、蝶番バネ１７の他端の係止部１７ｂは、後蓋体６と蝶番取付板１９の間でネジ２０により締結固着して取り付けている。
【００４３】
蓋体３の閉塞状態では、図１０（ａ）に示すように、蝶番バネ１７は圧縮されており、蓋体３を開放する方向に付勢力が作用しているが、蓋体３の重心バランスにより閉じた状態で安定している。蓋体３を開放する操作を行うと、重心バランスが移動し、蝶番バネ１
７の付勢力により蓋体３を開放する操作力を低減させる。蓋体３を開放した状態では、図１０（ｂ）に示すように、蝶番バネ１７は開放された状態になっており、蓋体３の開閉に連動した蝶番バネ１７の動きになっている。
【００４４】
ヒンジ部１１の空間部１６には、後蓋体６にストッパー受けリブ６ｄを形成し、蓋蝶番軸受１３のバネ受け部１３ｂの裏面にはストッパー部１３ｃを設けている。図１０（ｂ）に示すように、蓋体３を開放した状態ではストッパー部１３ｃとストッパー受けリブ６ｄが当接することにより、蓋体３開放時の角度蓋体の開角度を保持できるようなっている。
【００４５】
以上のように構成した洗濯機における蓋体の構造について、以下に、動作、作用を説明する。
【００４６】
洗濯機本体上部に載置したトップカバー２と、前記トップカバー２の上方に蓋蝶番軸１８で開閉自在に軸支した蓋体３と、蓋体３を開放方向に付勢する蝶番バネ１７と、トップカバー２の後部に取り付けた蓋蝶番軸１８と係合する蓋蝶番軸孔１３ａを備えた蓋蝶番軸受１３と、蝶番バネ１７の一端の係止部１７ｂを支持する蝶番取付板１９と、蓋体３のヒンジ部１１を覆って取り付けた蓋蝶番カバー１２と、蓋体３のヒンジ部１１の空間部１６とを備え、蓋蝶番軸１８、蝶番バネ１７、蝶番取付板１９を空間部１６に内設して、蓋体３をユニット一体化した構造とすることで、蓋体ユニット内部で蝶番バネ１７が一端の係止部１７ｂが蝶番取付板１９により固定されるため、従来の発明で設けていた蓋体の蝶番バネの取付け孔を設けた凸部を廃止することができ、トップカバー側で大きな開口孔を廃止することができ、トップカバーへの異物侵入のよって蓋体が完全に開放できない等の不具合がなくなり、蓋動作の信頼性が向上することができる。
【００４７】
また、実施の形態では、蓋蝶番軸受１３に蝶番バネ１７の一端の係止部１７ａを支持するバネ受け部１３ｂを設けた構造とすることにより、特に、トップカバー２と蓋体３ユニットの組み立て時に、蝶番バネ１７を人手で直接触れずに、蓋体３ユニット一体の蝶番バネ１７を前記トップカバー２に取り付けられた蓋蝶番軸受１３のバネ受け部１３ｂに押し付けながら、蓋体３ユニットの前倒れを防止しながら、組立てることが可能なため、安全性を確保し、前倒れによる蓋体３ユニットとトップカバー２への傷付き、破損を防止することができ、生産性が向上する。また、トップカバー２と蓋体３ユニットを分解が容易に可能なため、修理時のメンテナンス性を向上することができる。
【００４８】
また、本実施の形態では、蓋蝶番軸受１３は、蓋体３の開放角度を規定するストッパー部１３ｃを設けた構造とすることにより、特に、ストッパー部１３ｃを蓋体３ユニット内部で構成が可能なため、従来の発明で設けていたストッパー部１３ｃの回転操作による逃げによるトップカバー２の開口孔を廃止することが可能になる。これにより、トップカバー２の異物侵入を防ぎ、トップカバー２および蓋体３への汚れ付着時の掃除での利便性が向上することができる。
【００４９】
また、本実施の形態では、蓋蝶番カバー１２は、蓋体３を閉じた時の後方側に後蓋体６と係合する後方ツメ部１２ｃを設けた構造とすることにより、特に、蓋体３を開放した時のヒンジ部１１の構成リブや蓋蝶番軸１８等の内部部品、構成を蓋蝶番カバー１２で覆い段差をなくす構成にすることにより、蓋体を開放した際のヒンジ部のデザイン性を向上でき、汚れ付着時の掃除での利便性が向上することができる。
【産業上の利用可能性】
【００５０】
以上のように、本発明にかかる洗濯機の蓋構造は、蓋動作の信頼性向上と、生産性向上とデザイン性向上と、掃除での利便性向上を図ることが可能となるので、利用者に利便性を提供することが出来て、家庭用、業務用にかかわらず、各種洗濯機や、洗濯乾燥機等に
も広く採用できる。
【符号の説明】
【００５１】
１      洗濯機本体
２      トップカバー
２ａ    差込孔
２ｂ    ネジボス
２ｃ    ヒンジ軸
３      蓋体
４      制御板
５      分割支点部
６      後蓋体
６ａ    ネジ孔
６ｂ    ヒンジガイド溝
６ｃ    切欠部
６ｄ    ストッパー受けリブ
６ｅ    先端孔
６ｆ    後方孔
７      前蓋体
１０    把手部
１１    ヒンジ部
１２    蓋蝶番カバー
１２ａ  蓋蝶番軸抜け止めリブ
１２ｂ  先端ツメ部
１２ｃ  後方ツメ部
１３    蓋蝶番軸受
１３ａ  蓋蝶番軸孔
１３ｂ  バネ受け部
１３ｃ  ストッパー部
１４    ネジ
１５    トップカバーユニット
１６    空間部
１７    蝶番バネ
１７ａ  係止部
１７ｂ  係止部
１８    蓋蝶番軸
１９    蝶番取付板
１９ａ  軸孔
１９ｂ  引掛け凸部
２０    ネジ
２１    蓋蝶番軸ユニット
２２    押し込み空間部
２３    ヒンジ溝部
【図１】
2016187369.tif 000003
【図２】
2016187369.tif 000004
【図３】
2016187369.tif 000005
【図４】
2016187369.tif 000006
【図５】
2016187369.tif 000007
【図６】
2016187369.tif 000008
【図７】
2016187369.tif 000009
【図８】
2016187369.tif 000010
【図９】
2016187369.tif 000011
【図１０】
2016187369.tif 000012
【図１１】
2016187369.tif 000013
【図１２】
2016187369.tif 000014
【図１３】
2016187369.tif 000015
【図１４】
2016187369.tif 000016
【図１５】
2016187369.tif 000017